(57)【要約】【課題】施工時間を短縮できると共に、意匠性を向上させることができる改装建具の施工方法、改装建具キット、及び改装建具を提供すること。【解決手段】改装建具１の施工方法は、縦額縁５１の見付方向の幅と横額縁５２との見付方向の幅とが異なる改装建具を施工可能であって、見付方向の幅が異なる縦額縁５１及び横額縁５２のうちのいずれか一方の長手方向の端部に形成された調整代５１４ｄを切断する切断工程と、見付方向の幅が異なる縦額縁５１及び横額縁５２のうちのいずれか一方の長手方向の端部に形成された切り欠き開口部５１６に、見付方向の幅が異なる縦額縁５１及び横額縁５２のうちのいずれか他方の長手方向の端部を配置することで、見付方向の幅が異なる縦額縁５１の長手方向の端部と横額縁５２の長手方向の端部とを見込方向に重ねて配置する配置工程と、を含む。【選択図】図４
2020125621.tif 000002
【特許請求の範囲】
【請求項１】
建物の開口に設けられた建具の既設枠に取り付けられ前記既設枠の少なくとも一部を覆う額縁を有する改装建具において、前記額縁を構成する縦額縁及び横額縁における前記縦額縁の見付方向の幅と前記横額縁との見付方向の幅とが異なる改装建具を施工可能な改装建具の施工方法であって、
見付方向の幅が異なる前記縦額縁及び前記横額縁のうちのいずれか一方の長手方向の端部には、長手方向の長さを調整可能な調整代と、幅方向の側方に開放すると共に前記縦額縁及び前記横額縁のうちのいずれか他方の長手方向の端部が配置される切り欠き開口部と、が形成され、
見付方向の幅が異なる前記縦額縁及び前記横額縁のうちのいずれか一方の長手方向の端部に形成された前記調整代を切断する切断工程と、
見付方向の幅が異なる前記縦額縁及び前記横額縁のうちのいずれか一方の長手方向の端部に形成された前記切り欠き開口部に、見付方向の幅が異なる前記縦額縁及び前記横額縁のうちのいずれか他方の長手方向の端部を配置することで、見付方向の幅が異なる前記縦額縁の長手方向の端部と前記横額縁の長手方向の端部とを見込方向に重ねて配置する配置工程と、を含む改装建具の施工方法。
【請求項２】
見付方向の幅が異なる前記縦額縁及び前記横額縁のうちのいずれか一方の長手方向の端部に形成された前記切り欠き開口部の見込方向の長さは、見付方向の幅によらず、予め設定された長さに形成され、
前記切り欠き開口部に配置される前記縦額縁及び前記横額縁のうちのいずれか他方の長手方向の端部の見込方向の長さは、見付方向の幅によらず、前記切り欠き開口部の見込方向の長さに対応した予め設定された長さに形成され、
前記配置工程において、予め設定された見込方向の長さに形成された前記縦額縁及び前記横額縁のうちのいずれか一方の前記切り欠き開口部に、前記切り欠き開口部の見込方向の長さに対応した予め設定された長さに形成された前記縦額縁及び前記横額縁のうちのいずれか他方の長手方向の端部を配置する請求項１に記載の改装建具の施工方法。
【請求項３】
請求項１又は２に記載の改装建具の施工方法に用いられる改装建具キットであって、
見付方向の幅が異なる前記縦額縁及び前記横額縁を備え、
前記縦額縁及び前記横額縁のうちのいずれか一方の長手方向の端部には、長手方向の長さを調整可能な調整代と、幅方向の側方に開放すると共に前記縦額縁及び前記横額縁のうちのいずれか他方の長手方向の端部が配置される切り欠き開口部と、が形成され、
見付方向の幅が異なる前記縦額縁と前記横額縁とを用いて改装建具を施工する場合に、前記縦額縁及び前記横額縁のうちのいずれか一方の長手方向の端部に形成された前記調整代が切断されると共に、前記縦額縁の長手方向の端部と前記横額縁の長手方向の端部とは、前記縦額縁及び前記横額縁のうちのいずれか一方の長手方向の端部に形成された前記切り欠き開口部に、前記縦額縁及び前記横額縁のうちのいずれか他方の長手方向の端部が配置されることで、見込方向に重なって配置される改装建具キット。
【請求項４】
前記縦額縁及び前記横額縁のうちのいずれか一方の前記切り欠き開口部の見込方向の長さは、見付方向の幅によらず、予め設定された長さに形成され、
前記切り欠き開口部に配置される前記縦額縁及び前記横額縁のうちのいずれか他方の見込方向の長さは、見付方向の幅によらず、前記切り欠き開口部の見込方向の長さに対応した予め設定された長さに形成される請求項３に記載の改装建具キット。
【請求項５】
建物の開口に設けられた建具の既設枠に取り付けられ、前記既設枠の少なくとも一部を覆う額縁を有する改装建具であって、
前記額縁は、縦方向に延びる縦額縁と、横方向に延びる横額縁と、を備え、
前記縦額縁及び前記横額縁のうちのいずれか一方の長手方向の端部には、幅方向の側方に開放すると共に前記縦額縁及び前記横額縁のうちのいずれか他方の長手方向の端部が配置される切り欠き開口部が形成され、
前記縦額縁の長手方向の端部と前記横額縁の長手方向の端部とは、前記縦額縁及び前記横額縁のうちのいずれか一方の長手方向の端部に形成された前記切り欠き開口部に、前記縦額縁及び前記横額縁のうちのいずれか他方の長手方向の端部が配置されたることで、見込方向に重なって配置され、
前記縦額縁の見付方向の幅と前記横額縁の見付方向の幅とが異なる改装建具。
【発明の詳細な説明】
【技術分野】
【０００１】
本発明は、改装建具の施工方法、改装建具キット、及び改装建具に関する。
【背景技術】
【０００２】
従来、建物の開口に取り付ける建具に関して、リフォーム等で改装する際に、既に取り付けられている既設枠を外さずに、新設枠を取り付けることが知られている。この場合、新設枠は既設枠を覆うように配置される。（例えば、特許文献１参照）。特許文献１の新設枠の周囲には、既設枠を覆うように、建具用額縁が取り付けられる。建具用額縁は、縦方向に延びる縦額縁と、横方向に延びる横額縁と、を備える。縦額縁及び横額縁は、それぞれ、見込方向に延びる一対の面と、これら一対の面をつなぐ見付方向に延びる面とを有し、断面コの字状のような形状をしている。
【０００３】
一般的に、縦額縁の見付方向の幅と横額縁の見付方向の幅とは、同じ幅に形成されている。縦額縁及び横額縁のうちのいずれか一方の長手方向の端部には、幅方向の側方に向けて開放するように切り欠き開口部が形成されており、縦額縁及び横額縁のうちのいずれか一方の長手方向の端部に形成される切り欠き開口部には、縦額縁及び横額縁のうちのいずれか他方の長手方向の端部が配置されている。これにより、縦額縁の長手方向の端部及び横額縁の長手方向の端部は、縦額縁及び横額縁が組み合わされる際に重ねて配置されている。
【０００４】
ここで、製造コストなどの観点から、予め準備する縦額縁及び横額縁として、見付方向の幅が同じ縦額縁及び横額縁を組として、見付方向の幅の種類の分だけ、縦額縁及び横額縁を製造するための金型を準備しておくことが行われている。この場合、従来、見付方向の幅の種類に応じて、切り欠き開口部の見込方向の長さを異ならせて形成していた。そのため、従来の縦額縁及び横額縁においては、見付方向の幅が異なる場合に、縦額縁及び横額縁のうちのいずれか一方の長手方向の端部に形成された切り欠き開口部に、縦額縁及び横額縁のうちのいずれか他方の長手方向の端部を配置できなかったり、縦額縁及び横額縁のうちのいずれか他方の長手方向の端部を配置できても隙間が大き過ぎるため、見付方向の幅が異なる縦額縁及び横額縁を組み付けることができない構造になっている。
【先行技術文献】
【特許文献】
【０００５】
【特許文献１】特開２０１６−３３２８２号公報
【発明の概要】
【発明が解決しようとする課題】
【０００６】
上述したように、従来、見付幅が同じ縦額縁及び横額縁を組とする建築用額縁では、縦額縁の見付方向の幅と横額縁の見付方向の幅とが同じに形成されている。そのため、例えば、横額縁を取り付ける場合において、横額縁の幅が大きいことで横額縁が天井にぶつかってしまう場合には、横額縁を全長に亘って切り落とすことが必要となる。
また、横額縁が天井にぶつからない場合においても、横額縁の見付方向の幅を縦額縁の見付方向の幅よりも小さくすることで、意匠性を向上させたい場合がある。この場合においても、横額縁を全長に亘って切り落とすことが必要となる。
しかし、横額縁を全長に亘って切り落とす場合には、切り落とすための時間が必要となり、施工時間に時間がかかるという問題がある。
【０００７】
本発明は、施工時間を短縮できると共に、意匠性を向上させることができる改装建具の施工方法、改装建具キット、及び改装建具を提供することを目的とする。
【課題を解決するための手段】
【０００８】
本発明は、建物（例えば、後述の建物１００）の開口（例えば、後述の開口１０１）に設けられた建具の既設枠（例えば、後述の既設ドア枠３）に取り付けられ前記既設枠の少なくとも一部を覆う額縁（例えば、後述の建具用額縁５）を有する改装建具（例えば、後述の改装建具１）において、前記額縁を構成する縦額縁（例えば、後述の縦額縁５１）及び横額縁（例えば、後述の横額縁５２）における前記縦額縁の見付方向の幅と前記横額縁との見付方向の幅とが異なる改装建具を施工可能な改装建具の施工方法であって、見付方向の幅が異なる前記縦額縁及び前記横額縁のうちのいずれか一方の長手方向の端部には、長手方向の長さを調整可能な調整代（例えば、後述の切断部分５１４ａ，５１４ｂ，５１４ｄ）と、幅方向の側方に開放すると共に前記縦額縁及び前記横額縁のうちのいずれか他方の長手方向の端部が配置される切り欠き開口部（例えば、後述の切り欠き開口部５１６）と、が形成され、見付方向の幅が異なる前記縦額縁及び前記横額縁のうちのいずれか一方の長手方向の端部に形成された前記調整代を切断する切断工程と、見付方向の幅が異なる前記縦額縁及び前記横額縁のうちのいずれか一方の長手方向の端部に形成された前記切り欠き開口部に、見付方向の幅が異なる前記縦額縁及び前記横額縁のうちのいずれか他方の長手方向の端部を配置することで、見付方向の幅が異なる前記縦額縁の長手方向の端部と前記横額縁の長手方向の端部とを見込方向に重ねて配置する配置工程と、を含む改装建具の施工方法に関する。
【０００９】
また、見付方向の幅が異なる前記縦額縁及び前記横額縁のうちのいずれか一方の長手方向の端部に形成された前記切り欠き開口部の見込方向の長さは、見付方向の幅によらず、予め設定された長さに形成され、前記切り欠き開口部に配置される前記縦額縁及び前記横額縁のうちのいずれか他方の長手方向の端部の見込方向の長さは、見付方向の幅によらず、前記切り欠き開口部の見込方向の長さに対応した予め設定された長さに形成され、前記配置工程において、予め設定された見込方向の長さに形成された前記縦額縁及び前記横額縁のうちのいずれか一方の前記切り欠き開口部に、前記切り欠き開口部の見込方向の長さに対応した予め設定された長さに形成された前記縦額縁及び前記横額縁のうちのいずれか他方の長手方向の端部を配置することが好ましい。
【００１０】
また、本発明は、前記改装建具の施工方法に用いられる改装建具キット（例えば、後述の改装建具キット５００）であって、見付方向の幅が異なる前記縦額縁及び前記横額縁を備え、前記縦額縁及び前記横額縁のうちのいずれか一方の長手方向の端部には、長手方向の長さを調整可能な調整代と、幅方向の側方に開放すると共に前記縦額縁及び前記横額縁のうちのいずれか他方の長手方向の端部が配置される切り欠き開口部と、が形成され、見付方向の幅が異なる前記縦額縁と前記横額縁とを用いて改装建具を施工する場合に、前記縦額縁及び前記横額縁のうちのいずれか一方の長手方向の端部に形成された前記調整代が切断されると共に、前記縦額縁の長手方向の端部と前記横額縁の長手方向の端部とは、前記縦額縁及び前記横額縁のうちのいずれか一方の長手方向の端部に形成された前記切り欠き開口部に、前記縦額縁及び前記横額縁のうちのいずれか他方の長手方向の端部が配置されることで、見込方向に重なって配置される改装建具キットに関する。
【００１１】
また、前記縦額縁及び前記横額縁のうちのいずれか一方の前記切り欠き開口部の見込方向の長さは、見付方向の幅によらず、予め設定された長さに形成され、前記切り欠き開口部に配置される前記縦額縁及び前記横額縁のうちのいずれか他方の見込方向の長さは、見付方向の幅によらず、前記切り欠き開口部の見込方向の長さに対応した予め設定された長さに形成されることが好ましい。
【００１２】
また、本発明は、建物の開口に設けられた建具の既設枠に取り付けられ、前記既設枠の少なくとも一部を覆う額縁を有する改装建具であって、前記額縁は、縦方向に延びる縦額縁と、横方向に延びる横額縁と、を備え、前記縦額縁及び前記横額縁のうちのいずれか一方の長手方向の端部には、幅方向の側方に開放すると共に前記縦額縁及び前記横額縁のうちのいずれか他方の長手方向の端部が配置される切り欠き開口部が形成され、前記縦額縁の長手方向の端部と前記横額縁の長手方向の端部とは、前記縦額縁及び前記横額縁のうちのいずれか一方の長手方向の端部に形成された前記切り欠き開口部に、前記縦額縁及び前記横額縁のうちのいずれか他方の長手方向の端部が配置されたることで、見込方向に重なって配置され、前記縦額縁の見付方向の幅と前記横額縁の見付方向の幅とが異なる改装建具に関する。
【発明の効果】
【００１３】
本発明によれば、施工時間を短縮できると共に、意匠性を向上させることができる改装建具の施工方法、改装建具キット、及び改装建具を提供することができる。
【図面の簡単な説明】
【００１４】
【図１】本実施形態に係る建具を室外側から視た図である。
【図２】本実施形態に係る建具が建物の開口に納められた状態の縦断面図である。
【図３】本実施形態に係る建具が建物の開口に納められた状態の横断面図である。
【図４】縦額縁の長手方向の端部を切断して横額縁の長手方向の端部に組み付ける状態を示す斜視図である。
【図５】見付方向の幅が同じ縦額縁及び横額縁を組み合わせた状態を示す図である。
【図６】見付方向の幅が同じ縦額縁及び横額縁を組み合わせる場合を示す斜視図である。
【図７Ａ】見付方向の幅が異なる縦額縁及び横額縁を組み合わせる場合の第１組み合わせ例を示す斜視図である。
【図７Ｂ】見付方向の幅が異なる縦額縁及び横額縁を組み合わせる場合の第２組み合わせ例を示す斜視図である。
【図７Ｃ】見付方向の幅が異なる縦額縁及び横額縁を組み合わせる場合の第３組み合わせ例を示す斜視図である。
【発明を実施するための形態】
【００１５】
以下、本発明の実施形態について、図面を参照しながら詳しく説明する。なお、本明細書において、「見付方向」とは、建物に形成された開口部に納められた建具におけるドア本体の幅方向（すなわち、左右方向）を意味し、「見込方向」とは、上記ドア本体の奥行き方向を意味する。
【００１６】
図１は、本実施形態に係る改装建具１（以下、単に建具１とも言う）を室外側から視た図である。本実施形態における建具１は、建物１００に既に取り付けられていた建具１を構成する既設の部材のうち、脱着が可能な部分を交換するとともに、建物１００に固定されている既設の部材を建物１００に取り付けたままで、新たな部材を新設して形成するリフォーム用の改装建具１である。
図１に示すように、建具１は、玄関ドア等のドアであり、建物１００に形成された開口１０１（図２及び図３参照）に納められる。建具１は、新設枠としての新設ドア枠２と、戸体としてのドア本体４と、建具用額縁５（額縁）と、を備える。
【００１７】
ドア本体４は、長方形の板材により構成され、開口１０１を開閉するように取り付けられる。ドア本体４は、丁番４１を介して室外側（図中手前側）で開閉可能に吊り込まれる。そして、ドア本体４の戸先側には、シリンダー錠４２及びハンドル４３が取り付けられている。
【００１８】
新設ドア枠２及び建具用額縁５は、建物１００の開口１０１における開口縁１０２（図２及び図３参照）に沿って、ドア本体４の周囲に配置されている。新設ドア枠２及び建具用額縁５については、後に詳述する。
【００１９】
図２は、本実施形態に係る建具１が建物１００の開口１０１に納められた状態の縦断面図で、図３は、本実施形態に係る建具１が建物１００の開口１０１に納められた状態の横断面図である。なお、以下において左右とは、室外側から視た場合の左右を意味する。つまり、図３において、見付方向で、吊元側が右側、戸先側が左側である。
【００２０】
図２及び図３に示すように、開口１０１は、建物１００の躯体としての梁部材１１１及び左右の柱部材１１２と、室内側の床材１１３と、により四周を区画されている。
梁部材１１１及び左右の柱部材１１２の内面側には、室内側額縁材１１４が配置されている。室内側額縁材１１４は、梁部材１１１に対してはスペーサ１１５を介して固定され、右方の柱部材１１２に対しては直接固定される。
【００２１】
梁部材１１１と左右の柱部材１１２の少なくとも室内側には、断熱材１１９が配置される。断熱材１１９と梁部材１１１の間には、スペーサ１１５が配置される。
梁部材１１１及び左右の柱部材１１２の室外側には、外装パネル１１８が配置されている。この外装パネル１１８の端縁により、開口１０１の縁としての開口縁１０２が区画されている。
【００２２】
床材１１３は、化粧材１１６及びモルタル１１７により構成されている。化粧材１１６は、建具１の室外側及び室内側ともに、モルタル１１７の上面側に水平に配置されている。
【００２３】
図２及び図３に示すように、新設ドア枠２が、既設枠としての既設ドア枠３の幅方向の内側且つ室外側に取り付けられる。図２及び図３において、既設ドア枠３は、破線で示されている。
【００２４】
まず、既設ドア枠３の構成について説明する。
既設ドア枠３は、開口１０１の内側に設けられ、長方形の枠状に形成される。既設ドア枠３は、既設上枠３１と、既設下枠３２と、左右の既設縦枠３３、３４と、により構成され、気密材取付部３１３、３３３、３４３を有する。既設ドア枠３は、躯体（梁部材１１１、柱部材１１２）の開口１０１側における見込面から室外側面を覆うように、いわゆる半外納まりで取り付けられる。
【００２５】
図２に示すように、既設上枠３１は、断面方形（ホロー構造）に形成され、梁部材１１１の下方にスペーサ１１５を介して固定されている。
既設上枠３１は、室内部分３１１と、室外部分３１２と、気密材取付部３１３と、を有する。
【００２６】
室内部分３１１は、断面視略コの字型の形状をし、開口側が梁部材１１１に当接するように固定される。室内部分３１１は、室内側額縁材１１４の室外側に当接し、室内部分３１１の下方の側面と、室内側額縁材１１４の下方の側面とが連続する一面となるように梁部材１１１の下方に取り付けられる。
室内部分３１１では、既設上枠取付ねじ３１１ａが既設ドア枠３の上下方向に延びるように締結され、室内部分３１１は、既設上枠取付ねじ３１１ａにより梁部材１１１に固定される。
【００２７】
室外部分３１２は、室内部分３１１から連続して室外側に突出する。室外部分３１２は、額縁部３１２ａと、額縁取付部３１２ｂとを有する。
額縁部３１２ａは、内部が中空に形成されて室外側に突出するとともに、開口１０１の開口縁１０２の周囲に沿って配置される。額縁部３１２ａは、室内部分３１１の室外側から上方に延び、梁部材１１１の室外側面に一部が当接されている。
額縁取付部３１２ｂは、額縁部３１２ａの上下方向の最も上方の端部から、柱部材１１２の室外側面に沿って延出する板状の部分である。室外部分３１２では、既設上枠取付ねじ３１２ｃが既設ドア枠３の見込方向に延びるように締結され、室外部分３１２は、既設上枠取付ねじ３１２ｃにより、柱部材１１２に固定される。
【００２８】
気密材取付部３１３は、室内部分３１１の下方の側面から既設ドア枠３の下方に向かって突出する部分である。気密材取付部３１３は、室内部分３１１を基端部とし、既設ドア枠３の下方を先端部とする板状の部材であり、先端部の室外側面に、既設ドア枠３に取り付けられていた戸体としての改装前のドア本体（図示せず）を取り付けた場合に、改装前のドア本体との間の隙間を防ぐ弾性パッキン等の気密材（図示せず）が取り付けられる係止部３１３ｃが設けられている。
気密材取付部３１３は、改装前のドア本体を取り付けた場合に、改装前のドア本体の室外側と室内側の境界近傍に配置されている。
【００２９】
既設下枠３２は、平板状の部材が屈曲して形成されている。既設下枠３２は、室内側水平面３２１と、室外側水平面３２２と、段差部３２３と、室外側段差部３２４と、を有する。
室内側水平面３２１は、室内側で水平方向に延び、室内の床面と同じ高さに設けられる面である。
室外側水平面３２２は、室内側水平面３２１よりも下方で、室外側に向かって延びる面である。
段差部３２３は、室内側水平面３２１及び室外側水平面３２２を上下方向に接続する部分である。段差部３２３は、既設上枠３１の気密材取付部３１３の直下に配置され、気密材取付部３１３の係止部３１３ｃの外側端部から垂直方向に延ばした仮想線の延長線上に延びる（図２中では、新設上枠２１の室内側側面の線として表れている）。
室外側段差部３２４は、室外側水平面３２２の室外側端部から屈曲して下方に延びる。
既設下枠３２は、既設上枠３１に対向する位置で、モルタル１１７の上面に直接固定され、一部がモルタル１１７に埋め込まれている。
【００３０】
図３に示すように、左右の既設縦枠３３、３４は、室内部分３３１、３４１と、室外部分３３２、３４２と、気密材取付部３３３、３４３と、を有する。
【００３１】
室内部分３３１、３４１は、断面視略コの字型の形状をし、開口側が柱部材１１２に当接するように固定される。室内部分３３１、３４１は、室内側額縁材１１４の室外側に当接し、室内部分３３１、３４１の見込面と、室内側額縁材１１４の見込面とが連続する一面となるように柱部材１１２の室内側に取り付けられる。
室内部分３３１、３４１では、既設縦枠取付ねじ３３１ａ、３４１ａが既設ドア枠３の見付方向に延びるように締結され、室内部分３３１、３４１は、既設縦枠取付ねじ３３１ａ、３４１ａにより柱部材１１２に固定される。
【００３２】
室外部分３３２、３４２は、室内部分３３１、３４１から連続して室外側に突出する。室外部分３３２、３４２は、額縁部３３２ａ、３４２ａと、額縁取付部３３２ｂ、３４２ｂとを有する。
額縁部３３２ａ、３４２ａは、内部が中空に形成されて室外側に突出するとともに、開口１０１の開口縁１０２の周囲に沿って配置される。額縁部３３２ａ、３４２ａは、室内側では、室内部分３３１、３４１の室外側から見付方向外側に延び、柱部材１１２の室外側面に一部が当接されている。
額縁取付部３３２ｂ、３４２ｂは、額縁部３３２ａ、３４２ａの見付方向の最も外側の端部から、柱部材１１２の室外側面に沿って延出する板状の部分である。
室外部分３３２、３４２では、既設縦枠取付ねじ３３２ｃ、３４２ｃが既設ドア枠３の見込方向に延びるように締結され、室外部分３３２、３４２は、既設縦枠取付ねじ３３２ｃ、３４２ｃにより、柱部材１１２に固定される。
【００３３】
気密材取付部３３３、３４３は、室内部分３３１、３４１の室内側の見込面から既設ドア枠３の内側に向かって突出する部分である。気密材取付部３３３、３４３は、室内部分３３１、３４１を基端部とし、既設ドア枠３の内側を先端部とする板状の部材であり、先端部の室外側面に、改装前のドア本体を取り付けた場合に、改装前のドア本体との間の隙間を防ぐ気密材が取り付けられる係止部３３３ｃ、３４３ｃが設けられている。
既設上枠３１の気密材取付部３１３、及び既設縦枠３３、３４の気密材取付部３３３、３４３は、既設ドア枠３の内周面に沿って、内側に突出するように設けられる。
【００３４】
次に、新設ドア枠２の構成について説明する。
新設ドア枠２は、開口１０１の内側に配置され、長方形の枠状に形成される。新設ドア枠２は、既設ドア枠３の内周面を覆って既設ドア枠３に部分的に重なるように取り付けられる。新設ドア枠２は、既設ドア枠３のみに固定される。新設ドア枠２は、既設ドア枠３の室外側、詳細には、既設ドア枠３の気密材取付部３１３、３３３、３４３の見込方向外側に取り付けられる。新設ドア枠２は、新設上枠２１と、新設下枠２２と、左右の新設縦枠２３、２４と、内額縁２５と、を有する。
【００３５】
図２に示すように、新設上枠２１は、断面方形（ホロー構造）に形成され、その下面がドア本体４の上面に対向している。新設上枠２１の室内側面は、既設ドア枠３の気密材取付部３１３と見込方向室外側にずれた位置に配置される。より具体的には、新設上枠２１の室内側面は、既設ドア枠３の係止部３１３ｃに当接するように取り付けられる。新設上枠２１は、既設上枠３１にスペーサを介して上枠取付ねじ６１で固定されている。新設上枠２１は、上枠取付ねじ６１が既設上枠３１の室外部分３１２に締結されることで固定される。上枠取付ねじ６１は、締結後の位置が梁部材１１１と見込方向外側にずれている。上枠取付ねじ６１は、軸先が上方に向かうように既設上枠３１のみに締結され、梁部材１１１には締結されていない。
新設上枠２１は、下方に延びる上枠気密材取り付け部２１ａを有し、ドア本体４を傷つけないように受け止める気密材９１が上枠気密材取り付け部２１ａに取り付けられている。
【００３６】
新設下枠２２は、下方において、新設上枠２１に対向して配置され、水平面２２１と、立ち上がり部２２２と、室外側段差部２２３と、を有する。
水平面２２１は、平坦で、水平方向に延びてドア本体４の下面に対向する。水平面２２１は、既設下枠３２の室外側水平面３２２の上に載るように設置される。
立ち上がり部２２２は、水平面２２１から上方に向かって起立する部分である。立ち上がり部２２２は、既設下枠３２の段差部３２３の室外側面に沿って固定される。立ち上がり部２２２の高さは、既設ドア枠３の段差部３２３の高さと概ね同様の高さに形成されている。立ち上がり部２２２は、室外側の面に下枠気密材取り付け部２２ａを有し、新設上枠２１の場合と同様に、気密材９１が下枠気密材取り付け部２２ａに取り付けられている。
室外側段差部２２３は、水平面２２１の室外側の端部から下方に延び、床材１１３の化粧材１１６の上に支持される。室外側段差部２２３の室外側の端部は、新設上枠２１の室外側端部から垂直方向下方に延ばした仮想線の延長線上に延びる（図２中では、新設上枠２１の室外側側面の線として表れている）。
【００３７】
図３に示すように、左右の新設縦枠２３、２４は、断面方形（ホロー構造）に形成され、その内側の側面がドア本体４の見込方向の面に対向している。左右の新設縦枠２３、２４の室内側面は、既設ドア枠３の気密材取付部３３３、３４３と見込方向外側にずれた位置に配置される。より具体的には、左右の新設縦枠２３、２４の室内側面は、既設ドア枠３の係止部３３３ｃ、３４３ｃに当接するように取り付けられる。左右の新設縦枠２３、２４は、左右の既設縦枠３３、３４の室外部分３３２、３４２に、スペーサ１１５を介して固定されている。左右の新設縦枠２３、２４は、縦枠取付ねじ６２が既設縦枠３３、３４の室外部分３３２、３４２に締結されることで固定される。縦枠取付ねじ６２は、締結後の位置が柱部材１１２と見込方向外側にずれている。縦枠取付ねじ６２は、軸先が見付方向外側に向かうように既設縦枠３３、３４にのみ締結され、柱部材１１２には締結されていない。
左右の新設縦枠２３、２４は、それぞれドア本体４の内側に向かって延びる縦枠気密材取り付け部２３ａ、２４ａを有し、新設上枠２１及び新設下枠２２の場合と同様に、気密材９１が縦枠気密材取り付け部２３ａ、２４ａに取り付けられている。
【００３８】
内額縁２５は、図２及び図３に示すように、新設ドア枠２の内側の面から室内側に向かって延びるように、新設上枠２１及び左右の新設縦枠２３、２４の三方に設けられている。内額縁２５は、既設ドア枠３の室内側の一部と、室内側額縁材１１４の一部とを覆うように配置される。
内額縁２５は、内額縁内側面２５１と、室内側側面部２５２と、を有する。内額縁内側面２５１は、室外側から室内側に向かって延びる平板状の面である。室内側側面部２５２は、内額縁内側面２５１から垂直方向に屈曲する平板状の面である。内額縁２５は、ねじにより室内側額縁材１１４に固定されている。
【００３９】
建具用額縁５について説明する。図４は、縦額縁５１の長手方向の端部を切断して横額縁５２の長手方向の端部に組み付ける状態を示す斜視図である。図５は、見付方向の幅が同じ縦額縁５１及び横額縁５２を組み合わせた状態を示す図である。図６は、見付方向の幅が同じ縦額縁５１及び横額縁５２を組み合わせる場合を示す斜視図である。図７Ａ〜図７Ｃは、見付方向の幅が異なる縦額縁５１及び横額縁５２を組み合わせる場合の第１組み合わせ例〜第３組み合わせ例を示す斜視図である。
【００４０】
建具用額縁５は、図２及び図３に示すように、新設上枠２１及び左右の新設縦枠２３、２４に連結され、既設ドア枠３の室外部分３１２、３３２、３４２を覆うように取り付けられる額縁部材である。建具用額縁５は、図１に示すように、縦方向に延びる一対の縦額縁５１と、一対の縦額縁５１の上端を繋いで横方向に延びる横額縁５２と、を有する。縦額縁５１及び横額縁５２は、それぞれ、断面視で略コの字状の形状を有する。一対の縦額縁５１は、図３に示すように、見付方向の左右に離間して配置され、それぞれ、建具１の開口１０１の開口縁１０２に沿って新設ドア枠２に取り付けられる直線的な縦長の形状を有する。横額縁５２は、図２に示すように、建具１の開口１０１の開口縁１０２に沿って新設ドア枠２に取り付けられる直線的な横長の形状を有する。
【００４１】
一対の縦額縁５１は、図３に示すように、それぞれ、化粧面部５１１と、長さ調整部５１２と、嵌合部５１３と、取付溝５１７と、を有する。横額縁５２は、図２に示すように、化粧面部５２１と、長さ調整部５２２と、嵌合部５２３と、取付溝５２７と、を有する。縦額縁５１及び横額縁５２は、それぞれ、アルミ材により形成されている。
【００４２】
化粧面部５１１，５２１は、新設ドア枠２の見付け面の少なくとも一部を覆うように配置される。化粧面部５１１，５２１は、断面視で略コの字状の形状を有し、既設ドア枠３の室外部分３１２、３３２、３４２を覆うように配置される。
【００４３】
長さ調整部５１２，５２２は、新設縦枠２３、２４における化粧面部５１１，５２１の見付方向外側の端部、及び新設上枠２１における化粧面部５１１，５２１の上方端部に連結され、建具１の見込方向を覆うように延びる縦長の平板状の部材である。長さ調整部５１２，５２２は、長手方向が開口縁１０２の各辺に沿うように配置される。
【００４４】
嵌合部５１３，５２３は、化粧面部５１１，５２１と、長さ調整部５１２，５２２にそれぞれ形成され、互いを連結可能に構成されている。
取付溝５１７，５２７は、化粧面部５１１，５２１の見付方向の内側において、化粧面部５１１，５２１を、ねじにより取り付けるために用いられる溝である。
【００４５】
本実施形態においては、図１に示すように、縦額縁５１の見付方向の幅と横額縁５２の見付方向の幅とは異なっている。図４に示すように、横額縁５２Ｃの見付方向の幅Ｈｃは、縦額縁５１Ａの見付方向の幅Ｈａよりも小さく形成されている（幅Ｈｃ＜幅Ｈａ）。
【００４６】
従来、一般的に、縦額縁５１及び横額縁５２は、見付方向の幅が同じものが組み合わされて構成されていた（例えば図５（ａ）〜（ｃ）の幅Ｈａ，Ｈｂ，Ｈｃ参照）。また、例えば、縦額縁５１の長手方向の端部と横額縁５２の長手方向の端部とを組み合わされる際に重ねて配置するために、縦額縁５１の長手方向の端部には、横額縁５２の長手方向の端部を配置するために、幅方向の側方に向けて開放するように切り欠き開口部（例えば図６（ａ）〜（ｃ）の切り欠き開口部５１６参照）が形成されている。
【００４７】
ここで、従来、製造コストなどの観点から、予め準備する縦額縁及び横額縁として、見付方向の幅が同じ縦額縁及び横額縁を組として、見付方向の幅の種類の分だけ、縦額縁及び横額縁を製造するための金型を準備しておくことが行われている。この場合、従来、見付方向の幅の種類に応じて、切り欠き開口部の見込方向の長さを異ならせて形成していた。そのため、従来の縦額縁及び横額縁においては、見付方向の幅が異なる場合に、縦額縁の長手方向の端部に形成された切り欠き開口部に、横額縁の端部を配置できなかったり、縦額縁の長手方向の端部に形成された切り欠き開口部に横額縁の長手方向の端部を配置できても隙間が大き過ぎるため、見付方向の幅が異なる縦額縁及び横額縁を組み付けることができない構造になっていた。
【００４８】
これに対して、本発明においては、縦額縁５１の見付方向の幅と横額縁５２の見付方向の幅を異ならせる場合に、予め準備した複数種類の組み合わせの金型の中で、見付方向の幅が異なる縦額縁５１及び横額縁５２を成形可能な金型を選択して、縦額縁５１及び横額縁５２を成形して、縦額縁５１の切断部分５１４（調整代）を切断することにより、見付方向の幅が異なる縦額縁５１及び横額縁５２を組み付けることができる。
【００４９】
具体的には、本実施形態においては、製造コストを低減するため、見付方向の幅が同じ幅である複数組の縦額縁５１及び横額縁５２を成形できる複数種類の金型を準備している。例えば、図５（ａ）及び図６（ａ）に示す見付方向の幅がいずれも幅Ｈａである縦額縁５１Ａ及び横額縁５２Ａと、図５（ｂ）及び図６（ｂ）に示す見付方向の幅がいずれも幅Ｈａよりも小さい幅Ｈｂである縦額縁５１Ｂ及び横額縁５２Ｂと、図５（ｃ）及び図６（ｃ）に示す見付方向の幅がいずれも幅Ｈｂよりも小さい幅Ｈｃである縦額縁５１Ｃ及び横額縁５２Ｃと、を成形できる３種類の金型を準備している（幅Ｈａ＞幅Ｈｂ＞幅Ｈｃ）。
【００５０】
そして、例えば、図７Ａに示す第１組み合わせ例のように、見付方向の幅が異なる図６（ａ）に示す縦額縁５１Ａ（幅Ｈａ）及び図６（ｂ）に示す横額縁５２Ｂ（幅Ｈｂ）を組み付ける。この場合、縦額縁５１Ａの長手方向の上端部は、横額縁５２Ｂの長手方向の上端部よりも外側にはみ出てしまう。そのため、切断部分５１４ａを切断線５１５ａおいて切断可能に構成することで、縦額縁５１Ａの長手方向の長さを調整可能であり、見付方向の幅が異なる縦額縁５１Ａ及び横額縁５２Ｃを組み付けることができる。
【００５１】
また、例えば、図７Ｂに示す第２組み合わせ例のように、見付方向の幅が異なる図６（ａ）に示す縦額縁５１Ａ（幅Ｈａ）及び図６（ｃ）に示す横額縁５２Ｃ（幅Ｈｃ）を組み付ける。この場合、縦額縁５１Ａの長手方向の上端部は、横額縁５２Ｃの長手方向の上端部よりも外側にはみ出てしまう。そのため、切断部分５１４ｂを切断線５１５ｂにおいて切断可能に構成することで、縦額縁５１Ａの長手方向の長さを調整可能であり、見付方向の幅が異なる縦額縁５１Ａ及び横額縁５２Ｃを組み付けることができる。
【００５２】
また、例えば、図７Ｃに示す第３組み合わせ例のように、見付方向の幅が異なる図６（ｂ）に示す縦額縁５１Ｂ（幅Ｈｂ）及び図６（ｃ）に示す横額縁５２Ｃ（幅Ｈｃ）を組み付ける。この場合、縦額縁５１Ｂの長手方向の上端部は、横額縁５２Ｃの長手方向の上端部よりも外側にはみ出てしまう。そのため、切断部分５１４ｃを切断線５１５ｃにおいて切断可能に構成することで、縦額縁５１Ｂの長手方向の長さを調整可能であり、見付方向の幅が異なる縦額縁５１Ｂ及び横額縁５２Ｃを組み付けることができる。
【００５３】
このように、見付方向の幅が異なる縦額縁５１及び横額縁５２を、様々な組み合わせで組み付けることができる。例えば、図４に示す本実施形態においては、図７Ｂに示す第２組み合わせ例（縦額縁５１Ａ及び横額縁５２Ｃを組み合わせる）を採用している。縦額縁５１Ａの長手方向の上端部は、長手方向の長さを調整可能な切断部分５１４ｂ（調整代）が切断されて構成される。
また、縦額縁５１Ａの長手方向の上端部には、幅方向の側方に開放する切り欠き開口部５１６が形成されている。切り欠き開口部５１６は、幅方向の側方に開放し、切り欠き開口部５１６には、横額縁５２Ｃの長手方向の端部が配置される。
【００５４】
縦額縁５１の切り欠き開口部５１６の見込方向の長さＬ１は、見付方向の幅によらず、予め設定された長さに形成される。
また、縦額縁５１の切り欠き開口部５１６に配置される横額縁５２の長手方向の端部の見込方向の長さＬ１は、見付方向の幅Ｈａ、Ｈｂ，Ｈｃによらず、切り欠き開口部５１６の見込方向の長さＬ１に対応した予め設定した長さに形成される。
【００５５】
以上のように構成される建具用額縁５は、見込方向において縦額縁５１の切り欠き開口部５１６の長さＬ１と横額縁５２の長手方向の端部の長さＬ１が対応する長さに形成されるため、見付方向の幅が異なる縦額縁５１及び横額縁５２を組み付ける場合に、縦額縁５１及び横額縁５２において見付方向の幅が異なっていても、縦額縁５１の切断部分５１４ａ、５１４ｂ、５１４ｃを切断線５１５ａ、５１５ｂ、５１５ｃにおいて切断するだけで、縦額縁５１の長手方向の端部に形成された切り欠き開口部５１６に横額縁５２の長手方向の端部を配置して、見付方向の幅が異なる縦額縁５１及び横額縁５２を組み付けることができる。本実施形態の縦額縁５１及び横額縁５２は、見付方向の幅が異なる縦額縁５１及び横額縁５２を有する改装建具を施工するために用いられる改装建具キット５００を構成する。
改装建具キット５００を使用することで、見付方向の幅が異なる縦額縁５１及び横額縁５２を成形するための予め準備する金型の種類を低減できるため、改装建具１の製造コストを低減できる。
【００５６】
次に、既設ドア枠３に、新設の建具用額縁５を取り付ける場合の改装の手順について説明する。本実施形態においては、改装建具キット５００を用いて、見付方向の幅が異なる横額縁５２及び縦額縁５１を組み付ける場合について説明する。
【００５７】
まず、見付方向の幅が異なる横額縁５２及び縦額縁５１を組み付ける場合には、改装建具キット５００を用いて、予め準備された例えば図５（ａ）〜（ｃ）に示す組み合わせの縦額縁５１Ａ，５１Ｂ，５１Ｃ及び横額縁５２Ａ，５２Ｂ，５２Ｃを成形できる複数種類の金型の中から、見付方向の幅が異なる縦額縁５１及び横額縁５２を成形できる金型を選択して、選択した金型から成形された見付方向の幅が異なる横額縁５２及び縦額縁５１を準備する。
【００５８】
本実施形態においては、例えば、図７Ｂに示す第２組み合わせ例のように、改装建具キット５００を用いて、図５（ａ）に示す見付方向の幅が幅Ｈａである縦額縁５１Ａと、図５（ｃ）に示す見付方向の幅が幅Ｈｃである横額縁５２Ｃとを選択して、縦額縁５１Ａ及び横額縁５２Ｃを組み付ける。本実施形態では、横額縁５２Ｃの見付方向の幅Ｈｃは、縦額縁５１Ａの見付方向の幅Ｈａよりも小さく形成されている（幅Ｈｃ＜幅Ｈａ）。
【００５９】
そして、図４及び図７Ｂに示すように、改装建具１の施工現場において、例えば、縦額縁５１Ａの長手方向の端部に形成された切断部分５１４ｂを切断線５１５ｂにより切断する（切断工程）。なお、図４においては、切断部分５１４ｂを切断する前の状態を図示しているが、施工時には、縦額縁５１Ａの切断部分５１４ｂが、切断線５１５ｂにおいて切断された状態で、縦額縁５１Ａは、横額縁５２Ｃに組み付けられる。
【００６０】
続けて、図４に示すように、横額縁５２Ｃを、室外側から、既設上枠３１に固定された新設上枠２１に取り付ける。
【００６１】
その後、縦額縁５１の長手方向の端部に形成された切り欠き開口部５１６に、横額縁５２の長手方向の端部を配置することで、見付方向の幅が異なる縦額縁５１の長手方向の端部と横額縁５２の長手方向の端部とを見込方向に重ねて配置することで、既設縦枠３４を室外側から覆うように縦額縁５１Ａを取り付ける（配置工程）。この場合、予め設定された見込方向の長さＬ１に形成された縦額縁５１の切り欠き開口部５１６に、切り欠き開口部５１６の見込方向の長さに対応した予め設定された長さＬ１に形成された縦額縁５１の長手方向の端部を配置する。
【００６２】
なお、本実施形態においては、縦額縁５１Ａの長手方向の端部に形成された切断部分５１４ｂを切断した後に、縦額縁５１の長手方向の端部に形成された切り欠き開口部５１６に、横額縁５２の長手方向の端部を配置したが、これに限定されず、この逆でもよい。すなわち、縦額縁５１の長手方向の端部に形成された切り欠き開口部５１６に、横額縁５２の長手方向の端部を配置した後に、縦額縁５１Ａの長手方向の端部に形成された切断部分５１４ｂを切断してもよい。
【００６３】
このように、見付方向の幅が異なる縦額縁５１Ａ及び横額縁５２Ｃを組み付ける場合に、見込方向において縦額縁５１の切り欠き開口部５１６の長さＬ１と横額縁５２の長手方向の端部の長さＬ１が対応する長さに形成されるため、改装建具１の施工現場において、縦額縁５１Ａの切断部分５１４ｂを切断線５１５ｂにおいて切断するだけで、縦額縁５１Ａの切り欠き開口部５１６には、横額縁５２Ｃの長手方向の端部を配置できる。これにより、縦額縁５１Ａ及び横額縁５２Ｃを組み付ける時間を短縮できる。また、縦額縁５１の見付方向の幅と横額縁５２の見付方向の幅とを異ならせて構成することで、例えば、横額縁５２の見付方向の幅を小さくすることで、横額縁５２をスッキリ見せることができると共に、縦額縁５１と横額縁５２とに外観上のアクセントを生じさせることができるため、意匠性を向上させることができる。
【００６４】
その後、図４に示すように、縦額縁５１Ａの長手方向の上端部の上方側から額縁キャップ５０１を取り付ける。また、縦額縁５１Ａの見込方向の内側に形成される取付溝５１７に溝カバー部材５０２を取り付けると共に、横額縁５２Ｃの見込方向の内側に形成される取付溝５２７に溝カバー部材５０３を取り付ける。
【００６５】
本実施形態によれば、以下の効果が奏される。
本実施形態の改装建具１の施工方法は、縦額縁５１の見付方向の幅と横額縁５２との見付方向の幅とが異なる改装建具１を施工可能であって、縦額縁５１の長手方向の端部に形成された切断部分５１４ｂを切断する切断工程と、縦額縁５１の長手方向の端部に形成された切り欠き開口部５１６に、横額縁５２の長手方向の端部を配置することで、見付方向の幅が異なる縦額縁５１の長手方向の端部と横額縁５２の長手方向の端部とを見込方向に重ねて配置する配置工程と、を含む。
【００６６】
これにより、見付方向の幅が異なる縦額縁５１及び横額縁５２を組み付ける場合に、切断部分５１４ｂを切断するだけで、容易に、見付方向の幅が異なる縦額縁５１及び横額縁５２を組み付けることができる。よって、施工時間を短縮できる。また、縦額縁５１及び横額縁５２を成形する金型をある程度の種類のみ準備しておけばよいため、製造コストを低減できる。
また、縦額縁５１の見付方向の幅と横額縁５２の見付方向の幅とを異ならせて構成することで（例えば、横額縁５２の見付方向の幅を小さくすることで）、横額縁５２をスッキリ見せることができると共に、縦額縁５１と横額縁５２とに外観上のアクセントを生じさせることができるため、意匠性を向上させることができる。
【００６７】
また、本実施形態では、配置工程において、予め設定された見込方向の長さＬ１に形成された縦額縁５１の切り欠き開口部５１６に、切り欠き開口部５１６の見込方向の長さに対応した予め設定された長さＬ１に形成された縦額縁５１の長手方向の端部を配置する。
これにより、見付方向の幅が異なる縦額縁５１及び横額縁５２を組み付ける場合に、見込方向において縦額縁５１の切り欠き開口部５１６の長さＬ１と横額縁５２の長手方向の端部の長さＬ１が対応する長さに形成されるため、切断部分５１４ｂを切断するだけで、縦額縁５１の切り欠き開口部５１６に横額縁５２を配置できる。よって、見付方向の幅が異なる縦額縁５１及び横額縁５２を容易に組み付けることができる。
【００６８】
また、本実施形態の改装建具キット５００は、改装建具１の施工方法に用いられる改装建具キットであって、見付方向の幅が異なる縦額縁５１及び横額縁５２を備え、縦額縁５１の長手方向の端部には、長手方向の長さを調整可能な切断部分５１４ｂと、幅方向の側方に開放すると共に横額縁５２の長手方向の端部が配置される切り欠き開口部５１６と、が形成され、見付方向の幅が異なる縦額縁５１と横額縁５２とを用いて改装建具を施工する場合に、縦額縁５１の長手方向の端部に形成された切断部分５１４ｂが切断されると共に、縦額縁５１の長手方向の端部と横額縁５２の長手方向の端部とは、縦額縁５１の長手方向の端部に形成された切り欠き開口部５１６に、横額縁５２の長手方向の端部が配置されることで、見込方向に重なって配置される。
【００６９】
これにより、改装建具キット５００を用いることで、切断部分５１４ｂを切断するだけで、容易に、見付方向の幅が異なる縦額縁５１及び横額縁５２を組み付けることができる。よって、施工時間を短縮できる。また、縦額縁５１及び横額縁５２を成形する金型をある程度の種類のみ準備しておけばよいため、製造コストを低減できる。
また、改装建具キット５００を用いて、縦額縁５１の見付方向の幅と横額縁５２の見付方向の幅とを異ならせることで、例えば、横額縁５２の見付方向の幅を小さくすることで、横額縁５２をスッキリ見せることができると共に、縦額縁５１と横額縁５２とに外観上のアクセントを生じさせることができるため、意匠性を向上させることができる。
【００７０】
また、本実施形態の改装建具１は、建物１００の開口１０１に設けられた建具の既設ドア枠３に取り付けられ、既設ドア枠３の少なくとも一部を覆う額縁５を有する改装建具であって、額縁５は、縦方向に延びる縦額縁５１と、横方向に延びる横額縁５２と、を備え、縦額縁５１の長手方向の端部には、幅方向の側方に開放すると共に横額縁５２の長手方向の端部が配置される切り欠き開口部５１６が形成され、縦額縁５１の長手方向の端部と横額縁５２の長手方向の端部とは、縦額縁５１の長手方向の端部に形成された切り欠き開口部５１６に、横額縁５２の長手方向の端部が配置されたることで、見込方向に重なって配置され、縦額縁５１の見付方向の幅と横額縁５２の見付方向の幅とが異なる。
【００７１】
これにより、縦額縁５１の見付方向の幅と横額縁５２の見付方向の幅とを異ならせて構成することで（例えば、横額縁５２の見付方向の幅を小さくすることで）、横額縁５２をスッキリ見せることができると共に、縦額縁５１と横額縁５２とに外観上のアクセントを生じさせることができるため、意匠性を向上させることができる。
また、横額縁５２の見付方向の幅を小さくする場合に、切断部分５１４ｂを切断するだけで、容易に、縦額縁５１及び横額縁５２を組み付けることができる。よって、施工時間を短縮できる。また、縦額縁５１及び横額縁５２を成形する金型をある程度の種類のみ準備しておけばよいため、製造コストを低減できる。
【００７２】
以上、本発明の好ましい実施形態について説明したが、本発明は、上述の実施形態に制限されるものではなく、適宜変更が可能である。
【００７３】
例えば、上記実施形態では、新設ドア枠２を半外納まりに取り付けた構造を例に説明したが、これに限られない。新設ドア枠２をいわゆる内付で取り付けて、上枠取付ねじ及び縦枠取付ねじが短く構成した場合も含む。すなわち、内付で、ねじが梁部材や柱部材に到達しないため、ねじが既設ドア枠３にのみ締結されている場合も本発明の範囲である。
【００７４】
また、上記実施形態では、横額縁の見付方向の幅を縦額縁の見付方向の幅よりも小さく形成したが、これに限定されず、縦額縁の見付方向の幅を横額縁の見付方向の幅よりも小さく形成してもよい。
【００７５】
また、上記実施形態では、縦額縁５１の長手方向の端部を切断するように構成したが、これに限定されず、横額縁５２の長手方向の端部を切断するように構成してもよい。
また、上記実施形態では、縦額縁５１の長手方向の端部に切り欠き開口部５１６を形成し、縦額縁５１の切り欠き開口部５１６に横額縁５２の長手方向の端部を配置するように構成したが、これに限定されず、横額縁５２の長手方向の端部に切り欠き開口部を形成し、横額縁５２の切り欠き開口部に縦額縁５１の長手方向の端部を配置するように構成してもよい。
【符号の説明】
【００７６】
１      改装建具
３      既設ドア枠（既設枠）
５      建具用額縁（額縁）
５１    縦額縁
５２    横額縁
１００  建物
１０１  開口
５００  改装建具キット
５１４ａ，５１４ｂ，５１４ｄ  切断部分（調整代）
５１６  切り欠き開口部
【図１】
2020125621.tif 000003
【図２】
2020125621.tif 000004
【図３】
2020125621.tif 000005
【図４】
2020125621.tif 000006
【図５】
2020125621.tif 000007
【図６】
2020125621.tif 000008
【図７Ａ】
2020125621.tif 000009
【図７Ｂ】
2020125621.tif 000010
【図７Ｃ】
2020125621.tif 000011